(57)【要約】【課題】高速搬送中に、首部を有する開口容器の全面を、電子線で均一に照射して滅菌処理できる開口容器用電子線照射方法及びその装置を提供する。【解決手段】回転搬送体１１によって、首部を有する開口容器１を連続搬送する際、減圧雰囲気内で搬送中の開口容器１に対して、電子線照射手段４０から電子線ＥＢを照射して滅菌処理を実施する。電子線照射のとき、開口容器の首部付近に照射保護板４を装着できるように、着脱機構５を備えている。着脱機構５は、回転搬送体１１の回転移動に伴って動作し、電子線照射の間は開口容器の首部付近に照射保護板４を装着し、電子線照射後に照射保護板を除去する。前記照射保護板４の下面に電子線収束用の磁場偏向手段８や冷却手段９を設ける。【選択図】図２
2007297068.tif 000002
【特許請求の範囲】
【請求項１】
回転搬送体により首部を有する開口容器を連続搬送し、搬送中に前記開口容器の搬送中に減圧雰囲気内で電子線の照射を行うと共に、前記回転搬送体の回転移動に伴って照射保護板の着脱機構を動作させ、電子線照射の間は前記開口容器の首部付近に照射保護板を装着し、電子線照射後に前記照射保護板を除去することを特徴とする開口容器の電子線照射方法。
【請求項２】
首部を有する開口容器を連続搬送する回転搬送体と、前記開口容器の搬送中に減圧雰囲気内で電子線を照射する電子線照射手段と、前記開口容器の首部付近に配置する照射保護板と、前記照射保護板を前記回転搬送体に支持させると共に、前記回転搬送体の回転移動に伴って動作して前記照射保護板を電子線照射の間は装着し、かつ電子線照射後に除去する着脱機構とを備えて構成したことを特徴とする開口容器の電子線照射装置。
【請求項３】
請求項２において、前記照射保護板は、電子線の不透過の平板部と開口容器の首部に挿入する円筒部とから形成し、前記平板部の下面に電子線収束用の磁場偏向手段を設けると共に、冷却手段を備えて構成したことを特徴とする開口容器の電子線照射装置。
【発明の詳細な説明】
【技術分野】
【０００１】
本発明は開口容器の電子線照射方法及びその装置に係り、特にプラスチック製で首部が口細の開口容器の内外面を、電子線で殺菌するのに好適な開口容器の電子線照射方法及びその装置に関する。
【背景技術】
【０００２】
最近では、飲料や食品や医薬品、更には化粧品の充填にプラスチック製の開口容器が多く用いられている。これらの開口容器は、内容物の充填前に、内部を滅菌処理して無菌状態にし、その後内容物を充填して密封を行っている。開口容器の滅菌処理は、設備が大掛かりとなる薬剤を用いるものに代えて電子線を使用し、開口容器の内外面を滅菌することが提案されている。
【０００３】
一般に、ＰＥＴボトル等の飲み口が細い首部を持つ開口容器は、製造ラインで高速搬送されるから、大規模でエネルギ効率も悪い電子線照射装置では、ボトル製造ライン中に組み込むことができないでいる。このため、小型化とエネルギ効率の向上を図った低エネルギの電子線を発生させる電子線照射装置を、ボトル製造ライン中に組み込むことが提案されている。
【０００４】
この種の低エネルギの電子線照射装置を用いた場合には、電子線の透過作用が期待できないため、磁場偏向手段等を利用し、開口容器を電子線で均一に照射することが行われる。しかし、首部が細いプラスチック製ボトル等の開口容器の場合、首部の開口部分から電子線を内部に入れ、内面を照射することになる。このような電子線の照射では、開口容器の首部の開口から入る電子線の量が少なく、しかも電子線発生手段手段に用いる電子透過材や電子照射する雰囲気の気体での電子発散のため、更に電子線量が減少するので、ある程度の照射時間を確保する必要がある。しかし、照射時間を長くすると開口容器の細い開口部分やこの周辺の所謂首部が、電子線の過剰照射を受けることになり、開口容器の電子線照射部分が変色、或いは極端な場合には変形して使用に耐えなくなる。
【０００５】
これを改善するため、例えば１００ｋＶ級の電子線発生手段を用い、この電子線発生手段による電子線の照射部を、開口容器の搬送路中に備え、連続して搬送されてくる開口容器を電子線で照射滅菌処理する際に、開口容器の首部上方に電子吸収冷却マスクを配置し、照射する電子線を部分的に制限することが提案されている（特許文献１参照）。
【０００６】
また、製造ライン中で電子線照射を行う際に、電子線発生手段に近くて電子線の照射線量の大きくなる開口容器の首部に、電子線に対して半透過性を有するマスク部材を装着させ、この部分の電子線照射量を抑制し、開口容器の変質を防ぐことも提案されている（特許文献２参照）。
【０００７】
【特許文献１】特表２００１−５２４０５６号
【特許文献２】特開２００５−２４９６７１号
【発明の開示】
【発明が解決しようとする課題】
【０００８】
しかし、プラスチック製ボトル等の開口容器を用いる清涼飲料の製造ラインでは、開口容器を毎分６００本等の高速で搬送しているから、開口容器を順に連続して搬送している状態で、電子線の照射を行うことになる。このような開口容器を連続して高速搬送する製造ラインにおいて、特許文献１及び２のようにマスクを使用して電子線照射をする場合には、厚さの薄い金属製や樹脂製のマスクは、透過されないエネルギが蓄積されて熱となり、この熱でマスクが変形して恐れがあり、開口容器の連続製造ラインに簡単に適用できない問題がある。
【０００９】
本発明の目的は、首部を有する開口容器の全面を、高速搬送中に電子線で均一に照射して滅菌処理できる開口容器用電子線照射方法及びその装置を提供することにある。
【課題を解決するための手段】
【００１０】
本発明の開口容器用電子線照射方法は、回転搬送体により首部を有する開口容器を連続搬送し、搬送中に前記開口容器の搬送中に減圧雰囲気内で電子線の照射を行うと共に、前記回転搬送体の回転移動に伴って照射保護板の着脱機構を動作させ、電子線を照射する間は前記開口容器の首部付近に照射保護板を装着し、電子線の照射後に前記照射保護板を除去することを特徴とする。
【００１１】
また、本発明の開口容器の電子線照射装置は、首部を有する開口容器を連続搬送する回転搬送体と、前記開口容器の搬送中に減圧雰囲気内で電子線を照射する電子線照射手段と、前記開口容器の首部付近に配置する照射保護板と、前記照射保護板を前記回転搬送体に支持させると共に、前記回転搬送体の回転移動に伴って動作して前記照射保護板を電子線照射の間は装着し、かつ電子線照射後に除去する着脱機構とを備えて構成したことを特徴とする。
【００１２】
好ましくは、前記照射保護板は、電子線の不透過の平板部と開口容器の首部に挿入する円筒部とから形成し、前記平板部の下面に電子線収束用の磁場偏向手段を設けると共に、冷却手段を備えて構成したことを特徴とする。
【発明の効果】
【００１３】
本発明の開口容器用電子線照射方法で、首部を有する開口容器の電子線照射を行うと、回転搬送体の回転移動に伴って照射保護板の着脱を容易に行えるから、照射保護板が加熱することがなくなるため、長期間に亘って使用でき、開口容器の首部分を含めて全面を、電子線で照射して効率よく滅菌処理することができる。
【００１４】
また、本発明の開口容器用電子線照射装置のように構成すれば、回転搬送体の回転移動に伴って動作して照射保護板の着脱を行う着脱機構を備えているので、開口容器を高速搬送する製造ラインに簡単に組み込んで使用でき、開口容器の電子線照射を効果的に行うことができる。
【発明を実施するための最良の形態】
【００１５】
本発明では、首部を有する開口容器を回転搬送体で連続搬送し、減圧雰囲気内で搬送中の開口容器に対して電子線照射手段から電子線を照射する。開口容器の首部付近に配置する照射保護板を、前記回転搬送体に支持させると共に、前記回転搬送体の回転移動に伴って動作して前記照射保護板を電子線照射の間は装着し、かつ電子線照射後に除去する着脱機構とを備えている。
【実施例１】
【００１６】
本発明を適用する開口容器用電子線照射装置を図１（ａ）に示しており、首部を有する開口容器としてプラスチック製ボトルを用いた例である。中央に配置する照射処理槽１０の側面部に隣接して、前圧力調整槽２０と後圧力調整槽３０を配置して一体に連結している。これら各槽１０、２０、３０内には、駆動機構により同期させて矢印で示すように回転させる回転搬送体１１、２１、３１を回転可能に配置し、これによって各槽の外壁面との間に開口容器１を順に搬送する環状の搬送路を形成している。したがって、開口容器１の生産ライン中には、前処理ラインに連なる前圧力調整槽２０、次に照射処理槽１０、最後に後処理ラインに連なる後圧力調整槽３０が順に配置される状態になる。
【００１７】
各回転搬送体１１、２１、３１は、その外面に開口容器１を保持して搬送する保持機構２を等間隔で多数設けており、この保持機構２によって、開口容器１の前処理ラインから後処理ラインまでの間の各槽１０、２０、３０内の回転搬送体１１、２１、３１の相互間で、開口容器１が直立状態のまま順に円滑に受け渡しできる構成としている。
【００１８】
照射処理槽１０内は、内部を減圧するため耐圧の密封構造に構成し、この照射処理槽１０に真空排気装置１３を含む排気手段に連なる配管１４を接続し、搬送する開口容器１の周囲の雰囲気を、所定の負圧状態に維持している。しかも、照射処理槽１０内で電子線照射室となる搬送路に対応する部分に、電源に接続する電子線の電子線発生手段４０を少なくとも一つを備えている。この電子線発生手段４０を用いて、負圧状態を維持した照射処理槽１０内で、電子線照射室となる搬送路に向けて電子線を照射し、搬送されてくる開口容器１を連続して、滅菌処理を行うようにしている。
【００１９】
電子線発生手段４０には、負圧雰囲気内で開口容器１の内外面に電子線を照射して滅菌処理するので、低エネルギで１５０ｋＶ以下の加速電圧のものを使用することができる。照射処理槽１０内が減圧された状態にあると、電子線の減衰が大幅に軽減されるので、低エネルギの電子線であっても、電子の飛程（飛行距離）が長くなり、しかも電子線の発散量が少なく、口細の開口容器１であっても内面への電子線の照射が効果的に行える。
【００２０】
照射処理槽１０内の負圧状態を効果的に維持可能にして電子線の照射を良好に行えるようにするため、この開口容器搬入である前処理ライン側及び搬出側である後処理ラインに連なる前圧力調整槽２０と後圧力調整槽３０は、本発明により特別の工夫を施している。即ち、前圧力調整槽２０と後圧力調整槽３０内の回転搬送体２１、３１に、それぞれ各保持機構２間を区分する隔壁３を突設しており、回転搬送体２１、３１の回転移動時に、各保持機構２の両側の隔壁３と槽壁面との間で、小部屋となる複数の小区画２２、３２が形成される構造にしている。
【００２１】
しかも、前圧力調整槽２０側では、開口容器１を前工程ラインから取り込んだ位置から照射処理槽１０に移動する範囲に存在する複数の小区画２２を減圧するため、この範囲の壁面に、真空排気装置２３を含む排気手段に連なる配管２４の複数本を接続している。これによって開口容器１が、前工程ラインより前圧力調整槽２０に搬入されてから照射処理槽１０までの範囲の小区画２２は、大気圧から所望の負圧までの状態となる圧力調整範囲として効果的に管理することができる。
【００２２】
また、後圧力調整槽３０側では、開口容器１を照射処理槽１０から後工程ラインの位置に移動する範囲に形成される小区画３２を減圧するため、同様にこの範囲の壁面に、真空排気装置３３を含む排気手段に連なる配管３４の複数本を接続している。このため、照射処理槽１０から後圧力調整槽３０の後工程ラインに開口容器１が搬出されるまでの範囲の小区画３２は、逆に所望の負圧から大気圧までの状態となる圧力調整範囲として効果的に管理することができる。
【００２３】
なお、複数の配管２４、３４は、照射処理槽１０に近いほどその配管径を大きくするか、或いは接続する配管の数を増やして効果的に減圧できるようにし、真空排気装置１３の容量軽減及び前圧力調整槽２０や後圧力調整槽３０の圧力変化を円滑に行えるようにする。また、前圧力調整槽２０や後圧力調整槽３０における小区画３２の減圧する範囲は、必要に応じて上記とは反対側、即ち前圧力調整槽２０においては照射処理槽１０から前工程ラインに移動する範囲の小区画３２と、後圧力調整槽３０においては照射処理槽１０から後工程ラインに移動する範囲の小区画３２とも、排気手段を設けて減圧することもできる。
【００２４】
小区画２２、３２を形成させるための各隔壁３は、図１（ｂ）に示すように各槽２０、３０の外壁との間に微小な間隙Ｇを有するように設けている。隔壁３は、照射処理槽１０から前圧力調整槽２０や後圧力調整槽３０の大気開放側の各範囲に、複数個存在することになる。このため、複数個の隔壁３が、ラビリンスシール構造の働きと同様なり、照射処理槽１０から大気圧の外部までの流路抵抗が大きくなるので、特別にシール等を使用することなく、照射処理槽１０の負圧状態を維持することができる。当然のことながら、照射処理槽１０に設ける排気手段の真空排気装置１３の容量は、漏れ量を見込んだ容量することで、照射処理槽１０内部を予め定めた負圧状態の範囲内に維持することができる。
【００２５】
また、照射処理槽１０や前圧力調整槽２０及び後圧力調整槽３０部分に、例えばドライポンプを用い、適切なフィルタを備えた清浄空気発生装置１５からの配管１６を接続し、内部に清浄空気を供給するように構成している。なお、清浄空気発生装置１５の代りに、電子線の照射が良好に行えるガス雰囲気にするため、窒素ガスやヘリウムガス等やこれらの混合ガスを供給する各種のガス供給装置を接続することができる。
【００２６】
上記の構成の開口容器用電子線照射装置では、前工程ラインからの直立状態のまま各前圧力調整槽２０に送り込まれる開口容器１は、順に前圧力調整槽２０から照射処理槽１０を経て、後圧力調整槽３０から後工程ラインに搬出されるが、途中の照射処理槽１０部分の負圧雰囲気内で、電子線発生手段４０からの電子線照射による滅菌処理を受ける。この際、前圧力調整槽２０内の回転搬送体２１が時計方向に回転すると、開口容器１の前工程ラインより前圧力調整槽２０への取り込み位置から、照射処理槽１０に近づく範囲に形成されて内部に開口容器３０を保持している小区画２２は、排気手段によって大気圧から少しずつ減圧された状態となり、照射処理槽１０内の回転搬送体１１に移動したときには、照射処理槽１０と略同じ負圧となる。
【００２７】
また逆に、後圧力調整槽３０内の回転搬送体３１が時計方向に回転し、開口容器１が照射処理槽１０から後工程ラインへの排出位置に近づく範囲に形成されて内部に開口容器３０を保持している小区画３２では、排気手段によって照射処理槽１０内の負圧状態から少しずつ大気圧に近づく状態になり、後工程ライン側に開口容器１を排出する時点では大気圧になる。
【００２８】
上記のように開口容器用電子線照射装置を構成したので、照射処理槽１０と前圧力調整槽２０及び後圧力調整槽３０で、各槽内部の圧力管理を別個に適切に管理できるから、負圧に維持する照射処理槽１０内で、低エネルギの電子線発生手段４０を使用して、電子線による開口容器３０の滅菌処理を効果的に行うことができる。
【００２９】
更に、この開口容器用電子線照射装置では、照射処理槽１０と前圧力調整槽２０及び後圧力調整槽３０を一体に連結し、各開口容器は各槽内部の回転搬送体で直立状態のまま順に高速で搬送でき、照射処理槽１０に設けた領域内で電子線の照射を受けるので、飲料等の生産ライン中に組み込んでの開口容器の滅菌処理を連続して行うことができる。
【００３０】
本発明の開口容器用電子線照射装置では、図２に示すように電子線発生手段４０から、搬送中の首部を有する開口容器１に電子線ＥＢを照射する際、照射保護板４を開口容器の首部付近に配置し、これによって過剰に電子線の照射を受けるのを防ぎ、電子線量を効果的に遮蔽している。
【００３１】
照射保護板４は、開口容器１の搬送に支障のない回転搬送体１１部分に配置し、着脱機構５を介して回転搬送体１１に支持している。しかも、この着脱機構５が、回転搬送体１１の回転移動に伴って上下に動作し、照射保護板４を電子線照射の間は開口容器１の首部付近に装着し、かつ電子線照射後に除去する構成としている。
【００３２】
着脱機構５を矢印で示す上下方向に動作させるため、例えば回転搬送体１１の外面に案内ガイド６を設け、この部分に着脱機構５の一端を、上下に摺動可能に配置している。その上、着脱機構５の下面にローラ７Ａと上面を円弧状に突出させたカム型のガイドレール７Ｂの組み合わせて設けている。これらローラ７Ａとガイドレール７Ｂとによって、回転搬送体１１の回転移動に伴い、着脱機構５が上下に動作し、電子線照射の間は開口容器１の首部付近に照射保護板４の装着状態を維持し、かつ電子線照射後に除去できる構成としている。
【００３３】
照射保護板４は図３に示すように、小孔４Ｃを設けた平板部４Ａと、開口容器１の首部に一部又は全部を挿入可能な大きさの中空円筒部４Ｂとで、上端に鍔部を有する円筒状に一体に作製される。照射保護板４の平板部４Ａは、電子線の照射を受けて発熱するため、銅やアルミニューム等の熱伝導性の良い材料を用い、また中空円筒部４Ｂは、複数の穴やメッシュ状になした電熱性の良い材料又は電子線を透過する材料を用いて、開口容器１の首部部分が照射を受ける電子線量を適切にする。
【００３４】
また、照射保護板４は、この下面の中空円筒部４Ｂに永久磁石製でリング状の磁場偏向手段８を嵌合配置している。この磁場偏向手段８で、電子線発生手段４０からの電子線を収束させ、電子線が小孔４Ｃから首部を有する開口容器１内に入るようにし、電子線で開口容器１内部の照射滅菌処理を良好に行うことができる。なお、照射保護板４の上面は、電子線ＥＢの照射を受けるため発熱するから、熱伝導性の良い材料を用いても更に発熱対策が必要なときは、冷却パイプ等の冷却手段９を設置して温度上昇を抑制し、長期間使用に耐えるようにする。
【００３５】
照射処理槽１０の電子線照射室となる搬送路部分には、電子線発生手段４０からの電子線ＥＢを偏向させる電子線偏向器４１を配置している。この電子線偏向器４１は、電子線発生手段４０対向する位置で、しかも開口容器１の高さ方向に対して異なる位置に配置する。この電子線偏向器４１の配置で、上方から電子線ＥＢで照射する際でも、電子線ＥＢを開口容器１の内外面で偏向させ、開口容器１の高さ方向の全面を良好に照射することができる。電子線偏向器４１は、永久磁石を使用し、電子線ＥＢを適切に偏向させ、開口容器１の全面に効果的に照射できるように、その数と配置位置を工夫する。
【００３６】
更に、開口容器１を自転させる自転機構を、回転搬送体１１に設けるようにすると、電子線ＥＢの照射時に開口容器１を回転させることができ、上記の電子線偏向器４１の使用と併せて、内外面を電子線ＥＢでより均一に照射ができる。
【図面の簡単な説明】
【００３７】
【図１】本発明を適用する開口容器用電子線照射装置の原理を示す概略図である。
【図２】本発明の一実施例である開口容器用電子線照射装置の要部を示す概略縦断面図である。
【図３】本発明に用いる照射保護板の例を示す概略縦断面図である。
【符号の説明】
【００３８】
１…開口容器、２…保持機構、３…隔壁、４…照射保護板、４Ａ…平板部、４Ｂ…中空円筒部、４Ｃ…小孔、５…脱着機構、６…案内ガイド、７Ａ…ローラ、７Ｂ…ガイドレール、８…磁場偏向手段、９…冷却手段、１０…照射処理槽、１１、２１、３１…回転搬送体、１３、２３、３３…真空排気装置、１４、２４、３４配管、２０…前圧力調整槽、２２、３２…小区画、３０…後圧力調整槽、４０…電子線発生手段。ＥＢ…電子線。
【図１】
2007297068.tif 000003
【図２】
2007297068.tif 000004
【図３】
2007297068.tif 000005